(57)【要約】【課題】被着体の温度変化に対する応答性が良好で失われ難く、かつ基材層に表示された情報を視認し易い示温貼付材および示温貼付材付き物品を提供する。【解決手段】示温貼付材１００は、温度に応じて変色する変色材を含む粘着剤層１１０、および、粘着剤層と積層された基材層１２０を有し、基材層側から粘着剤層の変色を視認可能であるとともに、前記変色の前後を通じて１０％以上のヘーズを有する。【選択図】図１
2020146951.tif 000002
【特許請求の範囲】
【請求項１】
温度に応じて変色する変色材を含む粘着剤層、および、
前記粘着剤層と積層された基材層を有し、
前記基材層側から前記粘着剤層の変色を視認可能であるとともに、
前記変色の前後を通じて１０％以上のヘーズを有する、示温貼付材。
【請求項２】
前記基材層に設けられ情報を表示する情報表示部が、前記変色の前後を通じ、前記粘着剤層とは異なる色調で前記情報を表示する、請求項１に記載の示温貼付材。
【請求項３】
前記変色材は、温度低下にともない変色する、請求項１または請求項２に記載の示温貼付材。
【請求項４】
請求項１〜請求項３のうちのいずれか１つに記載の示温貼付材と、
前記示温貼付材が貼付された物品と、を有する、示温貼付材付き物品。
【発明の詳細な説明】
【技術分野】
【０００１】
本発明は、示温貼付材および示温貼付材付き物品に関する。
【背景技術】
【０００２】
従来、温度に応じて変色する変色材の応用が考えられており、例えば、特許文献１では、変色材を含む変色層が支持体上に積層された積層体を、示温材として応用することが開示されている。このような示温材を被着体に貼付すれば、被着体の温度変化を知ることができ、食品等の温度管理に好適である。
【先行技術文献】
【特許文献】
【０００３】
【特許文献１】特開２０１０−０６４３２４号公報
【発明の概要】
【発明が解決しようとする課題】
【０００４】
しかしながら、上記従来技術の積層体は、基材層である支持体の表側の面に変色層を有しており、被着体に貼付された際、変色層と被着体との間に、支持体が介在するため、それらの間の熱伝達が遮られ、被着体の温度変化に対する応答性が低下する虞がある。
【０００５】
さらに、上記従来技術のように、基材層の表側の面に変色層が設けられていると、変色層が擦過等によって傷ついたり剥がれたりし、そのような応答性自体が失われてしまう虞もある。
【０００６】
また、上記従来技術では、例として、基材層である支持体が透明である形態が開示されているが、基材層に例えば文字等の情報が表示されている場合、基材層を通して被着体が透けて見えると、基材層に表示されている情報は、背景となる被着体の色や図柄等に紛れて視認し難くなる虞がある。
【０００７】
本発明は、それらの課題に鑑みてなされ、被着体の温度変化に対する応答性が良好で失われ難く、かつ基材層に表示された情報を視認し易い示温貼付材および示温貼付材付き物品を提供することを目的とする。
【課題を解決するための手段】
【０００８】
上記目的を達成するための本発明の示温貼付材は、温度に応じて変色する変色材を含む粘着剤層、および、前記粘着剤層と積層された基材層を有し、前記基材層側から前記粘着剤層の変色を視認可能であるとともに、前記変色の前後を通じて１０％以上のヘーズを有する。
【０００９】
上記目的を達成するための本発明の示温貼付材付き物品は、前記示温貼付材と、前記示温貼付材が貼付された物品と、を有する。
【発明の効果】
【００１０】
上記構成を有する発明では、被着体に接する粘着剤層に変色材が含まれており、被着体と変色材との間で熱が伝わり易いため、被着体の温度変化に対する応答性が良好である。さらに、変色材を含む粘着剤層が、被着体と接する側と反対の表側において、基材層によって擦過等から保護されるため、変色材の応答性が失われ難い。
【００１１】
また、上記構成を有する発明では、粘着剤層の変色の前後を通じて１０％以上のヘーズを示温貼付材が有し、これによって、示温貼付材は不透明になっているため、被着体が透け難く、基材層に情報が表示されていても、それを視認し易い。
【図面の簡単な説明】
【００１２】
【図１】実施形態の示温貼付材を示す図である。
【図２】物品に示温貼付材が貼付された示温貼付材付き物品の側面図である。
【図３】図２の符号３から見た示温貼付材付き物品の側面図である。
【発明を実施するための形態】
【００１３】
以下、添付した図面を参照しながら、本発明の実施形態を説明する。なお、図面の寸法比率は、説明の都合上誇張されており、実際の比率とは異なる。
【００１４】
図１に示すように、実施形態の示温貼付材１００は、粘着剤層１１０および基材層１２０を有するとともに、基材層１２０の面に設けられた情報表示部１３０を有する。
【００１５】
粘着剤層１１０は、温度に応じて変色する変色材を含んでおり、変色材の変色に応じて異なる色調を示す。粘着剤層１１０は、変色材を粘着剤中に分散させた状態で含んでいる。ここで、粘着剤は、例えば、アクリル系粘着剤、ウレタン系粘着剤、シリコーン系粘着剤、スチレン系熱可塑性エラストマー、ビニルエーテル共重合体、天然ゴム等であるが、特に限定されない。
【００１６】
粘着剤層１１０に含まれる変色材は、温度低下にともない変色する性質を有する。変色材は、例えば、所定の温度以下になると変色し、その後、所定の温度より高くなると元に戻る可逆的変化を示すが、その変色温度は変色材によって異なり、用途に応じて好適な変色材が選択される。
【００１７】
そのような可逆的変化を示す変色材としては、特に限定されないが、例えば、ロイコ系染料、顕色剤、および溶媒が封じ込められたマイクロカプセルが挙げられる。ロイコ系染料は、酸化還元により可逆的に色が変化する有機色素である。顕色剤は、ロイコ系染料と結合して発色させる酸性物質である。ロイコ系染料は、顕色剤と接触すると互いの電子の享受により発色する。溶媒は、それらの接触・離隔を制御する。所定の温度以上になると溶媒が溶け、ロイコ系染料と顕色剤との間に入り込んで、それらを引き離す。これによって、ロイコ系染料と顕色剤との間の電子の享受が抑制され、発色が元に戻る。
【００１８】
基材層１２０は、粘着剤層１１０と積層されており、また、基材層１２０側から粘着剤層１１０の変色を視認可能な透明性を有している。粘着剤層１１０の変色が視認可能であれば、基材層１２０は、可視光領域においてどの程度の透過率を有するかは特に限定されないが、例えば７０％以上、より好ましくは８０％以上の透過率を有する。
【００１９】
基材層１２０の形成材料は、特に限定されないが、例えば、ポリエチレンやポリプロピレン等のポリオレフィン系フィルム、ポリエチレンテレフタレート等のポリエステルフィルム、セロファン、ポリ塩化ビニリデン、ポリ塩化ビニリデン共重合体、ポリフッ化ビニリデン、ポリ塩化ビニル、ポリスチレン、ポリメタクリル酸メチル、ポリカーボネート、ナイロン等のプラスチックフィルムである。
【００２０】
基材層１２０が透明である一方で、粘着剤層１１０が色を有しているため、示温貼付材１００は、ある程度のヘーズ（ｈａｚｅ）を有している。具体的に、示温貼付材１００は、粘着剤層１１０の変色の前後を通じて、１０％以上のヘーズを有し、より好ましくは、３０％以上のヘーズを有する。ヘーズの上限値は、例えば１００％以下であるが、特に限定されない。
【００２１】
ヘーズは、ＪＩＳ  Ｋ７１３６：２０００に準拠し、ヘーズメーター（例えば日本電色工業株式会社製ＮＤＨ５０００）によって測定できる。また、ヘーズは、粘着剤層１１０に含まれる変色材の割合によって調整でき、例えば、粘着剤層１１０に対し、１質量％以上の変色材を含ませることによって、１０％以上のヘーズが得られる。
【００２２】
情報表示部１３０は、基材層１２０の面に設けられており、情報を表示する印刷層１３１によって構成されている。本実施形態において、情報表示部１３０は、基材層１２０に対し、粘着剤層１１０とは反対側の表側の面に設けられているが、これに限定されず、粘着剤層１１０側の面に設けられてもよい。
【００２３】
印刷層１３１は、どのように形成されるか特に限定されず、例えば、フレキソ印刷、オフセット印刷、凸版印刷、シルクスクリーン印刷等によって形成され、これらは、一定の図柄等を大量に作製するのに適する。一方、熱転写方式、インクジェット方式、電子写真（静電）方式等は、例えばシリアル番号のような可変情報を印すのに適する。
【００２４】
印刷層１３１の色調は、特に限定されないが、粘着剤層１１０の色調とは変色の前後を通じて異なることが好ましい。このようにすれば、情報表示部１３０で表示される情報が、粘着剤層１１０の色調と同化し難く、視認し易い。
【００２５】
次に示温貼付材１００の使用について述べる。
【００２６】
図２に示すように、示温貼付材１００は、粘着剤層１１０を介して物品１０（被着体）に貼付して使用され、粘着剤層１１０の色によって、物品１０の温度が所定の温度以下になっているか、あるいはそれよりも高くなっているかを示す。
【００２７】
図２に示した例では、物品１０は、店で販売される弁当もしくは惣菜であり、物品１０に示温貼付材１００が貼付された示温貼付材付き物品２０は、冷蔵して所定の温度以下で店の棚に陳列される。
【００２８】
ただし、これは一例に過ぎず、物品１０は、弁当もしくは惣菜以外にも、温度管理が必要な、青果、鮮魚、精肉等の生鮮食品であってもよく、または、ペットボトル、ビン、缶、もしくはグラス等に入った飲料であってもよい。
【００２９】
物品１０に貼付された示温貼付材１００において、粘着剤層１１０が変色した状態であれば、物品１０が所定の温度以下になっていることが分かり、一方、粘着剤層１１０が変色する前の状態であれば、物品１０の温度が所定の温度よりも高いことが分かる。
【００３０】
粘着剤層１１０は、変色前、不透明で白濁した状態であるが、所定の温度以下では、その変色前の色調とは異なる色調を示す。所定の温度以下となった変色後の色調は、例えば、冷やされたことをイメージし易い青系であるが、これに限定されない。変色後の色調は、粘着剤層１１０に含ませる変色材を適宜選択することによって調整できる。
【００３１】
次に本実施形態の作用効果を述べる。
【００３２】
本実施形態では、物品１０に接する粘着剤層１１０に変色材が含まれており、物品１０と変色材との間で熱が伝わり易いため、物品１０の温度変化に対する応答性が良好である。さらに、変色材を含む粘着剤層１１０が、物品１０と接する側と反対の表側において、基材層１２０によって擦過等から保護されるため、変色材の応答性が失われ難い。
【００３３】
また、本実施形態では、示温貼付材１００が、粘着剤層１１０の変色の前後を通じて１０％以上のヘーズを有し、これによって、示温貼付材１００は不透明になっているため、物品１０が透け難く、情報表示部１３０の情報を視認し易い。
【００３４】
具体的に図３に示すように、本実施形態では、情報表示部１３０が、情報の一例として黒色の文字や数字で賞味期限を表示しているが、仮に示温貼付材１００が透明で、物品１０が透けて見えると、情報表示部１３０の黒色で示された情報が、背景となる物品１０の黒色と同化して視認し難くなる。
【００３５】
一方、本実施形態では、示温貼付材１００が、１０％以上のヘーズを有し、不透明であるため、物品１０が透け難く、情報表示部１３０の情報を視認し易い。
【００３６】
さらに、情報表示部１３０が、示温貼付材１００の変色の前後を通じて、その前後で示される色調とは異なる色調で情報を表示するようにすれば、示温貼付材１００の変化する色調と、情報表示部１３０が表示する情報の色調とが同化し難いため、情報表示部１３０の情報が特に視認し易い。
【００３７】
例えば、示温貼付材１００の色調が、白系と青系との間で変化する場合、情報表示部１３０が、それらと異なる黒系の色調で情報を表示すれば、情報表示部１３０の情報が目立ち、視認し易い。
【００３８】
本実施形態では、示温貼付材１００が、粘着剤層１１０に含まれる変色材に応じて、温度低下にともない変色し、これによって、物品１０が所定の温度以下であることが一目瞭然であるため、物品１０が冷やされたことを容易に知ることができる。
【００３９】
本発明は、上述した実施形態に限定されるものではなく、特許請求の範囲内で種々改変できる。
【００４０】
例えば、本発明の示温貼付材がどのような形状を有するかは、特に限定されず、上記実施形態の示温貼付材１００のように矩形形状でなくてもよく、例えば長尺形状等の他の形状であってもよい。
【００４１】
また、上記実施形態のラベル１００は、粘着剤層１１０、基材層１２０、および印刷層１３１を有するが、それら以外の層を有する形態も本発明の範囲に含まれ、例えば、印刷層１３１を覆う透明なラミネートフィルムを保護層として有してもよい。
【００４２】
また、本発明の示温貼付材が貼付される物品も、上記実施形態のように食品や飲料に限定されず、家電等の電気製品であってもよく、例えばクーラーの送風口の近傍に本発明の示温貼付材を貼付すれば、所定の温度以下に冷やされていることが一目で分かる。
【００４３】
また、上記実施形態では、粘着剤層１１０に含まれる変色材が、所定の温度で可逆的に変色するが、本発明は、このような形態に限定されない。本発明は、粘着剤層に含まれる変色材が、所定の温度で不可逆的に変色する形態も含む。
【００４４】
不可逆的に変色する変色材は、例えば、一旦所定の温度以上となって変色すると、その温度より低くなっても元の色には戻らず、変色したままである。このため、変色材の変色が、所定の温度以上になった形跡となり、それによって、例えば、冷凍または冷蔵して輸送していた食品が、輸送途中で一時的に常温になっていたというような、温度履歴を表示することができる。
【００４５】
あるいは、不可逆的に変色する変色材は、所定の温度以下となった形跡を示してもよく、この場合、変色材は、一旦所定の温度以下になって変色すると、その温度より高くなっても元の色には戻らず、変色したままとなる。
【００４６】
上記実施形態では、変色材として、ロイコ系染料を含む例が挙げられているが、これに限定されず、変色材は、例えば、金属錯体やサーモクロミック液晶等であってもよい。
【符号の説明】
【００４７】
１０    物品、
２０    示温貼付材付き物品、
１００    示温貼付材、
１１０    粘着剤層、
１２０    基材層、
１３０    情報表示部、
１３１    印刷層。
【図１】
2020146951.tif 000003
【図２】
2020146951.tif 000004
【図３】
2020146951.tif 000005